(57)【要約】【解決手段】申込情報を受信することと、無線スキームに従い申込情報を復調することと、復調された申込情報を用いて、申込のために利用可能なプログラムパッケージのセットを表示することと、表示された１つ又は複数のパッケージの選択を可能にすることとを含む申込を変更する無線通信方法。申込は、この選択の結果変更される。【選択図】      図１
2007536820.tif 000002
【特許請求の範囲】
【請求項１】
申込を変更するための無線通信方法であって、
申込情報を受信することと、
無線スキームに従って前記申込情報を復調することと、
前記復調された申込情報を用いて、申込用のプログラムパッケージのセットを表示することと、
前記セットから、１つ又は複数の表示されたパッケージの選択を許可することであって、この選択の結果、前記申込が変更されることと
を含む方法。
【請求項２】
請求項１に記載の方法において、
１つ又は複数のパッケージの選択の結果として、前記表示されたプログラムパッケージのセットを変更することを更に含む方法。
【請求項３】
請求項１に記載の方法において、
選択に利用可能なプログラムパッケージのセットを決定することを更に含む方法。
【請求項４】
請求項１に記載の方法において、
前記申込情報とともにサービスのコストを受信することと、
前記プログラムパッケージのうちの少なくとも１つに関連するサービスのコストを、ディスプレイに表示することと
を更に含む方法。
【請求項５】
請求項１に記載の方法において、
前記申込情報を受信することは更に、プログラムパッケージの階層申込ツリーを表す申込情報を受信することを含む方法。
【請求項６】
請求項５に記載の方法において、
前記階層申込ツリーに含まれる階層申込情報に基づいて、利用可能なプログラムパッケージを表示することを更に含む方法。
【請求項７】
請求項２に記載の方法において、
前記表示されたプログラムパッケージのセットを変更することは更に、１つ又は複数のパッケージの選択の結果、パッケージの表示をしないことを含む方法。
【請求項８】
請求項６に記載の方法において、
前記復調された申込情報を用いて、現在の申込状態を表示することと、
プログラムパッケージの選択を許可することであって、前記選択は、前記現在の申込状態からの前記プログラムパッケージの追加又は取消を行うことと、
前記選択に関連する新たなサービスのコストを表示することと
を更に含む方法。
【請求項９】
請求項１に記載の方法において、
１つのプログラムパッケージへの申込が、別のプログラムパッケージへ自動申込することを必要とすることを更に含む方法。
【請求項１０】
請求項１に記載の方法において、
前記変更された申込に従って選択されたプログラムパッケージへのアクセスを許可することを更に含む方法。
【請求項１１】
請求項１に記載の方法において、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームによって通信することを更に含む方法。
【請求項１２】
申込を変更することができる電子機器であって、
申込情報を受信し、
無線スキームに従って前記申込情報を復調し、
前記復調された申込情報を用いて、申込用のプログラムパッケージのセットを表示し、
前記セットから、１つ又は複数の表示されたパッケージの選択を許可することであって、前記申込は、前記選択の結果変更される
ように構成された電子機器。
【請求項１３】
請求項１２に記載の電子機器において更に、
前記１つ又は複数のパッケージの選択の結果、前記表示されたプログラムパッケージのセットを変更するように構成された電子機器。
【請求項１４】
請求項１２に記載の電子機器において更に、
プログラムパッケージの階層申込ツリーを表す申込情報を受信するように構成された電子機器。
【請求項１５】
請求項１２に記載の電子機器において更に、
前記申込情報とともに、サービスのコストを受信し、前記プログラムパッケージのうちの少なくとも１つに関連するサービスのコストを、ディスプレイに表示するように構成された電子機器。
【請求項１６】
請求項１４に記載の電子機器において更に、
前記階層申込ツリーに含まれる階層申込情報に基づいて、利用可能なプログラムパッケージを表示するように構成された電子機器。
【請求項１７】
請求項１６に記載の電子機器において更に、
前記表示された利用可能なプログラムパッケージに関連するサービスのコストを表示するように構成された電子機器。
【請求項１８】
請求項１３に記載の電子機器において更に、
前記１つ又は複数のパッケージの選択の結果、パッケージの表示をしないように構成された電子機器。
【請求項１９】
請求項１７に記載の電子機器において更に、
前記復調された申込情報を用いて、現在の申込状態を表示し、
プログラムパッケージの選択を許可することであって、前記選択は、前記現在の申込状態から前記プログラムパッケージの追加又は取消を行い、
前記選択に関連する新たなサービスのコストを表示する
ように構成された電子機器。
【請求項２０】
請求項１２の電子機器において更に、
１つのプログラムパッケージへの申込が、別のプログラムパッケージへ自動申込することを必要とするように構成された電子機器。
【請求項２１】
請求項１２に記載の電子機器において更に、
前記変更された申込に従って、選択されたプログラムパッケージへのアクセスを許可するように構成された電子機器。
【請求項２２】
請求項１２に記載の電子機器において更に、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームによって通信するように構成された電子機器。
【請求項２３】
無線通信のための装置であって、
申込情報を受信する手段と、
無線スキームに従って前記申込情報を復調する手段と、
前記復調された申込情報を用いて、申込用のプログラムパッケージのセットを表示する手段と、
前記セットから、１つ又は複数の表示されたパッケージの選択を許可する手段であって、前記申込は、前記選択の結果変更される手段と
を備えた装置。
【請求項２４】
請求項２３に記載の装置において、
利用可能なプログラムパッケージのセットのためのサービスのコストを決定する手段と、
前記利用可能なプログラムパッケージのためのサービスのコストを表示する手段と
を更に備えた装置。
【請求項２５】
請求項２４に記載の装置において、
前記変更された申込に従って、選択されたプログラムパッケージへのアクセスを許可する手段を更に備えた装置。
【請求項２６】
請求項２５に記載の装置において、
現在の申込状態を変更した後、新たなサービスのコストを決定する手段と、
新たな現在の申込状態を表示する手段と、
前記新たなサービスのコストを表示する手段と
を更に備えた装置。
【請求項２７】
請求項２３に記載の装置において、
１つ又は複数のパッケージの選択の結果、パッケージの表示をしない手段を更に備えた装置。
【請求項２８】
コンピュータに、以下の方法を実行させる手段を組み込んだコンピュータ読取可能媒体であって、前記方法は、
申込情報を受信することと、
無線スキームに従って前記申込情報を復調することと、
前記復調された申込情報を用いて、プログラムパッケージのセットを表示することと、
前記復調された申込情報を用いて、前記プログラムパッケージのサービスのコストを表示することと、
前記セットから、１つ又は複数のパッケージの選択を許可することであって、この選択の結果、前記申込が変更されることと、
前記変更された申込に基づいて、新たなサービスのコストを表示することと、
１つ又は複数のパッケージの選択の結果、パッケージの表示をしないことと
を含むコンピュータ読取可能媒体。
【請求項２９】
申込を変更する無線通信方法であって、
申込情報を決定することと、
無線スキームに従って前記申込情報を変調することと、
前記変調された申込情報をモバイル装置に送信することであって、
前記申込情報は、申込状態を変更するために前記モバイル装置において使用されることと、
変更済みの申込状態情報を、前記モバイル装置から受信することと
を含む方法。
【請求項３０】
請求項２９に記載の方法において、
前記モバイル装置から受信された情報に少なくとも部分的に基づいて、前記申込情報を決定することを更に含む方法。
【請求項３１】
請求項２９に記載の方法において、
プログラムパッケージの階層申込ツリーの形式で階層申込情報を含む前記申込情報を決定することを更に含む方法。
【請求項３２】
請求項３１に記載の方法において、
地理情報に少なくとも部分的に基づいて、プログラムパッケージの前記階層申込ツリーを決定することを更に含む方法。
【請求項３３】
請求項３０に記載の方法において、
前記モバイル装置から、前記申込状態への変更を受信することと、
前記申込情報を改訂することと
を更に含む方法。
【請求項３４】
請求項２９に記載の方法において、
１つのプログラムパッケージへの申込が、１つ又は複数の別のプログラムパッケージへ自動申込することを必要とすることを、前記申込情報によって要求することを更に含む方法。
【請求項３５】
請求項２９に記載の方法において、
１つ又は複数のプログラムパッケージが、モバイル装置において取り消されないことを、前記申込情報によって要求することを更に含む方法。
【請求項３６】
請求項２９に記載の方法において、
１つ又は複数のプログラムパッケージの選択によって、パッケージ又はパッケージのセットが、前記モバイル装置において表示されないようにすることを、前記申込情報によって要求することを更に含む方法。
【請求項３７】
請求項２９に記載の方法において、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームによって通信することを更に含む方法。
【請求項３８】
申込変更をサポートする電子機器であって、
申込情報を決定し、 
無線スキームに従って前記申込情報を変調し、
前記変調された申込情報をモバイル装置に送信することであって、前記申込情報は、申込状態を変更するために前記モバイル装置において使用され、
変更済みの申込状態情報を前記モバイル装置から受信する
ように構成された電子機器。
【請求項３９】
請求項３８に記載の電子機器において更に、
前記モバイル装置から受信された情報に部分的に基づいて、前記申込情報を決定する
ように構成された電子機器。
【請求項４０】
請求項３８に記載の電子機器において更に、
プログラムパッケージの階層申込ツリーの形式で階層申込情報を含む前記申込情報を決定するように構成された電子機器。
【請求項４１】
請求項４０に記載の電子機器において更に、
地理情報に部分的に基づいて、プログラムパッケージの前記階層申込ツリーを決定する
ように構成された電子機器。
【請求項４２】
請求項３９に記載の電子機器において更に、前記モバイル装置から、前記申込状態への変更を受信し、前記申込情報を改訂するように構成された電子機器。
【請求項４３】
請求項３８に記載の電子機器において更に、
１つのプログラムパッケージへの申込が、１つ又は複数の別のプログラムパッケージへ自動申込することを必要とすることを、前記申込情報によって要求するように構成された電子機器。
【請求項４４】
請求項３８に記載の電子機器において更に、
１つ又は複数のプログラムパッケージが、前記モバイル装置において取り消されないことを、前記申込情報によって要求し、
１つ又は複数のプログラムパッケージの選択によって、パッケージ又はパッケージのセットが、前記モバイル装置において表示されないようにすることを、前記申込情報によって要求する
ように構成された電子機器。
【請求項４５】
請求項３８に記載の電子機器において更に、
ＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥ、及びＴＥＴＲＡから成るグループから選択されるネットワークスキームによって通信するように構成された電子機器。
【請求項４６】
無線通信装置であって、
申込情報を決定する手段と、
無線スキームに従って前記申込情報を変調する手段と、
前記変調された申込情報をモバイル装置に送信する手段であって、
前記申込情報は、申込状態を変更するために前記モバイル装置において使用される手段と、
変更済みの申込状態情報を前記モバイル装置から受信する手段と
を備えた無線通信装置。
【請求項４７】
請求項４６に記載の装置において、
プログラムパッケージの階層申込ツリーの形式で階層申込情報を含む前記申込情報を決定する手段を更に備えた装置。
【請求項４８】
請求項４７に記載の装置において、
地理情報に部分的に基づいて、プログラムパッケージの前記階層申込ツリーを決定する手段を更に備えた装置。
【請求項４９】
請求項４６に記載の装置において、
１つ又は複数のプログラムパッケージの選択によって、パッケージ又はパッケージのセットが、前記モバイル装置において表示されないようにすることを、前記申込情報によって要求する手段を更に備えた装置。
【請求項５０】
コンピュータに、以下の方法を実行させる手段を組み込んだコンピュータ読取可能媒体であって、前記方法は、
申込情報を決定することと、
前記申込情報に関連するサービスのコストを決定することと、
無線スキームに従って前記申込情報を変調することと、
前記変調された申込情報をモバイル装置へ送信することであって、前記申込情報は、申込状態を変更するために前記モバイル装置において使用されることと、
変更済みの申込状態情報を前記モバイル装置から受信することと、
新たな申込情報を変調することと、
前記新たな申込情報を送信することと
を含むコンピュータ読取可能媒体。
【請求項５１】
請求項５０に記載のコンピュータ読取可能媒体であって、
１つ又は複数のプログラムパッケージの選択によって、パッケージ又はパッケージのセットが、前記モバイル装置において表示されないようにすることを、前記申込情報によって要求することを更に含むコンピュータ読取可能媒体。
【請求項５２】
以下の方法を実施するように構成された少なくとも１つのプロセッサであって、前記方法は、
申込情報を受信することと、
無線スキームに従って、前記申込情報を復調することと、
前記復調された申込情報を用いて、申込用のプログラムパッケージのセットを表示することと、
前記セットから、１つ又は複数の表示されたパッケージの選択を許可することであって、前記選択の結果、前記申込が変更されることと
を含む少なくとも１つのプロセッサ。
【発明の詳細な説明】
【技術分野】
【０００１】
本発明は、マルチメディアプログラミング及びパッケージコンテンツを申し込むための方法、装置及びシステムに関する。
【背景技術】
【０００２】
第２世代（２Ｇ）のネットワークは、符号分割多元接続(ＣＤＭＡ)とグローバルシステムフォーモバイルコミュニケーションの（ＧＳＭ）ネットワークを含み、デジタル音声符号化のためにワイアレス接続を提供している。第３世代（Ｇ３）のモバイルネットワークは、有線ブロードバンド接続に近づくセルラーデータレートを提供する。これら３Ｇモバイルネットワークは、世界中に提供されている豊富な種々のサービスに対するロバストな配信メカニズムである。ＣＤＭＡ２０００ベースのネットワークからＷＣＤＭＡ(Wide-band Code-Division Multiple Access)に基づくネットワークまで、セルラーユーザは、有線デスクトップコンピュータからのみ利用可能であったサービスや情報にアクセスできる。第３世代技術を使用して、ストリーミングビデオファイルや、双方向テレビ番組のようなアプリケーション及びマルチメディアサービスをこれらのモバイル装置に配信することが現在可能である。
【０００３】
ＷＣＤＭＡはまた、ユニバーサルモバイルテレコミュニケーションシステム（ＵＭＴＳ）とも呼ばれており、ＣＤＭＡ２０００と共に、現在の２Ｇモバイルネットワークからサービスとデータ速度の点で進展している。ＩＴＵ（国際電気通信連合）により認められたＵＭＴＳとＣＤＭＡ２０００の第３世代のモバイル技術は、例えば、改善されたマルチメディア（音声、データ、ビデオ、及び遠隔制御）、全ての一般モード（セルラー電話、電子メイル、ペイジング、ファックス、ビデオ会議、及びウエブブラウジング）の利便性、広帯域幅で高速（２Mbps以上）なルーティング柔軟性（リピータ、衛星、ＬＡＮ）、約２ＧＨｚ周波数での動作、ヨーロッパ、日本、及び北アメリカを通じたローミング機能のような特徴及び機能を含むことを期待されている。
【０００４】
今日のモバイル顧客は、すでに「無音声」及びその他の新しいサービスに対する要望を提起している。２４０億より多いテキストメッセージが毎月送信され、今や顧客は、静止画や音の要素を付加するテキストメッセージングの進展であるマルチメディアメッセージングサービス（ＭＭＳ）を選択している。ＣＤＭＡ２０００及びＵＭＴＳは、モバイルマルチメディアの将来に向けてこれらの第１ステップを踏み出し、オペレータは、新たなサービスを顧客に提供できるようになるであろう。
【０００５】
これらのロバストなモバイルネットワークと、洗練されたハンドヘルド装置の利用は、メディアコンテンツへの顧客需要の増加と相まって、モバイル装置においてマルチメディアプログラミングとパッケージコンテンツとを申し込む改良された方法に対する必要性を生み出した。
【発明の開示】
【０００６】
本出願は、ともに本願の譲受人に譲渡され、明確に本願に引用して援用されている２００４年５月４日に出願され、"MEDIAFLOHIERARICAL PACKAGES"と題された米国仮出願６０／５６８，１８０と、２００４年１１月４日に出願され、"MEDIAFLO HIERARICAL PACKAGES FOR A USER TERMINAL SUBSCRIBABLE SERVICES WITH LOCATION DEPENDENCY"と題された米国仮出願６０／６２５，５３１との優先権を主張する。
【０００７】
モバイル装置への改良された申込機能を提供するメディア配信方法及び装置が記載される。ビデオ及びオーディオプログラミングを表示するモバイル装置は、顧客サービス要員の関与なく、ビデオ及びオーディオプログラミングのパッケージへの申込と脱退とを可能とする。申込情報はモバイル装置に転送される。この情報は、全ての申込パッケージのセットとコスト、利用可能なパッケージのセットとコスト、或いは利用可能なパッケージのセットとコストを決定可能なアプリケーションの形式である。利用可能なパッケージに関する情報は、モバイル装置で表示される。モバイル装置は１つ又は複数の表示されたパッケージの選択を受諾することと、この選択の結果として、申込を変更することとが可能である。この変更により、申込から１つ又は複数のパッケージを付加したり或いはキャンセルしたりできる。
【発明を実施するための最良の形態】
【０００８】
ここに開示された実施例は、顧客サービス代行者の助けを借りずに、無線モバイル装置のユーザが、モバイル装置でアクセス可能なメディアサービスの申込を変更できるように設計されている。サービスプロバイダは、申込情報をモバイル装置に送信する。モバイル装置は、この申込情報を表示し、申込に利用できるパッケージの選択を可能にする。そして、この申込は、１つ又は複数のプログラムパッケージを追加又はキャンセルするために、１つ又は複数の選択を反映するように変更される。モバイル装置は、現在の申込状態のコストを表示可能であり、もし変更された場合には、選択されたプログラムパッケージに関連する申込のコストを表示可能である。モバイル装置で行われる選択処理の結果、顧客サービス代行者の助けを借りずに申込が変更される。
【０００９】
図１は、無線ネットワーク用のモバイル装置の一例を示すブロック図である。モバイル装置１００は、１つ又は複数のメモリモジュール１０２と、ディスプレイモジュール１０４と、例えばアルファベットキー構成あるいはジョイスティックのような入力モジュール１０６と、少なくとも１つのマイクロプロセッサ１０８とを含んでいる。ソフトウェアアプリケーションのような１組の命令が１つ又は複数のメモリモジュール１０２にロードされると、少なくとも１つのマイクロプロセッサモジュール１０８は、ディスプレイモジュール１０４のために種々の申込情報を生成する。入力モジュール１０６によって、申込者は、モバイル装置１００と対話することができる。１つ又は複数のアンテナモジュール１１０は、無線情報を送受信できる。表示された申込情報から、モバイル装置１００を使用して選択がなされ、改良された申込方法を実行する。この方法は、例えばＰＤＡ、セル電話、あるいはパーソナルメディアプレーヤのようなモバイル装置で実現される。モバイル装置１００にこの方法を組み込むことについての更なる詳細を以下に示す。
【００１０】
図２は、この改良された申込方法を提供するために使用されるメディア配信システムの一例を示すブロック図である。このメディア配信システム２００は、メディアコアネットワーク２０２、少なくとも１つのコンテンツプロバイダ２０６、モバイル装置２０８、サービスプロバイダ２１０、及び配信システム２１２を含む。メディアコアネットワーク２０２は、サーバコンポーネント２０４を含み、種々のコンテンツプロバイダ２０６からのメディアコンテンツ集合や、メディアスケジューリングや、ライセシングと共にメディアコンテンツのデジタル権利を管理することや、申込や、メディア配信を纏めて提供する。
【００１１】
配信システム２１２は、例えばコンテンツプロバイダ２０６、モバイル装置２０８、及びサービスプロバイダ（リテイルプロバイダ）２１０への転送を管理する。配信システム２１２はまた、ソフトウェアアプリケーションをモバイル装置２０８に配信すると共に、請求書作成や他の会計要件を管理する。メディアコアネットワーク２０２は、配信スケジュールに基づいて、メディアコンテンツを、関連するプログラミング情報と共にモバイル装置２０８に送る。
【００１２】
この例では、メディア配信システム２００は無線通信システムである。特別な例によれば、この実施例は、ＣＤＭＡ通信システムに関連して議論される。ＣＤＭＡ通信システムの原理、特に通信チャネルを介した送信のためのスペクトル拡散信号の生成の一般原理は、当該技術における通常の熟練者に周知である。記載されているか、あるいは言及されている任意の無線通信システムは、デジタル信号技術と同様に、その信号を搬送するネットワークの両方を称していることと理解されるべきである。ＣＤＭＡの代わりに、この無線ネットワークは、周波数分割多元接続（ＦＤＭＡ）システム、例えばＧＳＭ、ＧＳＭ／ＧＰＲＳ（汎用パケット無線サービス：General Packet Radio Service)、ＥＤＧＥ（Enhanced Data GSM Environment）、或いはＴＥＴＲＡ（Terrestrial Trunked Radio,サービス産業用のモバイル電話技術）のような時分割多元接続（ＴＤＭＡ）システム、ＷＣＤＭＡ或いはその他の高速データレート（１×ＥＶ−ＤＯ或いは１×ＥＶ−ＤＯゴールドマルチキャスト）システム、或いは一般的な任意の無線通信システムでありうる。
【００１３】
サービスプロバイダ２１０は、コンテンツプロバイダ２０６によって提供されている全てのサービスを制御するためにメディア配信システム２００を操作する。メディアコアネットワーク２０２は、プログラムパッケージの形態でグループ化されたサービスを、申込者のモバイル装置２０８へ提供する。プログラムパッケージとサービスを作成し定義するために、メディアコアネットワーク２０２は、サービスプロバイダ２１０にインタフェースを与える。コンテンツプロバイダ２０６によって提供されるサービスは、メディアコアネットワーク２０２によって、申込者のモバイル装置２０８に提供されるプログラムパッケージ及び／又は個々のメディアのサービスに構成される。メディアコアネットワーク２０２において生成されるプログラムパッケージのこのセット全体から、モバイル装置２０８に利用可能なプログラムパッケージのセットが決定される。プログラムパッケージのこの利用性は、申込者のメールアドレスの地理的位置を含む様々な要因のうちの何れにも基づくことができる。このメディアプログラミングのセットは、プログラムパッケージの形態で、利用可能なパッケージ及びコストのセットとして、モバイル装置２０８に転送することができる。あるいは、ソフトウェアアプリケーションは、モバイル装置２０８に転送される。モバイル装置２０８は、モバイル装置２０８において利用可能なパッケージと、関連するサービスのコストとのセットを生成することができる。他のソフトウェアアプリケーションは、メディアコアネットワーク２０２によって開発され、モバイル装置２０８へ転送される。モバイル装置２０８に一旦インストールされたソフトウェアは、利用可能なプログラムパッケージ及び関連するコストを決定することができる。メディア配信システム２００の機能によって、モバイル装置は、プログラムパッケージ及びサービスの申込及び取消をすることができ、申し込んだメディアを視聴することができ、利用可能なパッケージ及びサービスへ最新版を提供することができる。ＣＤＭＡメディア配信システム２００に関してこの方法を実行することに関する更なる詳細を以下に説明する。
【００１４】
図３は、プログラムパッケージのセットの一例の実例である。プログラムパッケージ３００のセットは、基本パッケージ３０２、第１層スポーツパッケージ３０４、および拡張基本パッケージ３２６を含む。基本パッケージ３０２は、サービスＡ（３０８）およびサービスＢ（３１０）を提供する第２層３０６、サービスＣ（３１４）およびサービスＤ（３１６）を提供する第３層３１２、ニュースサービスＥ（３２０）およびサービスＤ（３１６）を提供する第４層３１８を含む。第１層スポーツパッケージ３０４は、サービスＦ（３２４）およびサービスＧ（３２６）を含む。拡張基本パッケージ３２６は、第１層スポーツパッケージ３０４におけるサービスと共に、全ての基本パッケージ３０２サービスを含んでいる。
【００１５】
層は、１つ又は複数のサービスからなるグループである。プログラムパッケージは、１つ又は複数の層、１つ又は複数のサービス、あるいはこれら両方の組み合わせから構成することができる。サービスは、複数のパッケージ、及び／又は第３層３１２及び第４層ニュースパッケージ３１８に共通のサービスＤ（３１６）に示すように複数のパッケージに共通でありうる。
【００１６】
この例の階層的パッケージアーキテクチャは、パッケージ参照スキームによって可能とされる。プログラムパッケージは、１つ又は複数のメディア項目（すなわち、パッケージ、層、サービス等）を参照し、この「参照」によって、申込のためのパッケージ機能を決定する。例えば、スポーツパッケージ３０４が、基本パッケージ３０２のみを参照するのであれば、スポーツパッケージ３０４は、基本パッケージ３０２の申込者に対してのみ利用可能である。しかしながら、スポーツパッケージ３０４が、基本パッケージ３０２およびニュースパッケージ（第４層）３１８を参照するのであれば、スポーツパッケージ３０４は、基本パッケージ３０２あるいはニュースパッケージ３１８の申込者に利用可能である。後のシナリオでは、基本パッケージ３０２の残りを申し込まないニュースパッケージ３１８への申込者は、申込可能なスポーツパッケージ３０４を持つであろう。
【００１７】
図４Ａおよび図４Ｂは、ダイレクトパッケージ申込の一例を示す図である。ダイレクトパッケージ申込スキーム４００の例証として、入れ子にされるように、４つのパッケージ４０２，４０４、４０６および４０８が示される。自動申込パッケージ４０２は、遠隔デバイス１００（図１）に自動的にインストールされる。自動申込パッケージ４０２は、メディア申込を開始するために、例えば、利用可能なパッケージ、バナー、広告等のような基本サービスのみを提供するだろう。更に、自動申込パッケージ４０２は、リムーバブルではないかもしれない。ダイレクトパッケージ申込スキームによって、申込者は、自動申込されたパッケージ状態から、任意のパッケージにダイレクトに申し込むことが可能となる。最低限のメディアサービスを申し込むために、申込者は、基本パッケージ４０４を選択することができる。申込者はまた、基本パッケージ４０４を選択せずに、拡張基本パッケージ４０６あるいはプレミアムパッケージ４０８の何れかを選択することができる。
【００１８】
図４Ｂに示すように、ダイレクト申込スキームでは、基本パッケージ４０４、拡張パッケージ４０６、及びプレミアムパッケージ４０８の全てが自動申込パッケージ４０２を参照するので、自動申込パッケージ４０２の申込者による直接選択が可能となる。そのような階層によって、自動申込パッケージ４０２が一旦インストールされると、モバイル装置１００（図１）は、基本パッケージ４０４、拡張基本パッケージ４０６、あるいはプレミアムパッケージ４０８の申込に対する選択が可能となる。これは、申込者が、プレミアムパッケージ４０８の追加を許可される前に、最初に基本パッケージ４０４を、次に拡張基本パッケージ４０６を申し込まねばならないことを回避する。しかしながら、追加のパッケージ４０４，４０６，４０８は、これら追加パッケージのうちの１つからの申込を変更するために、自動申込パッケージ４０２のみを参照するので、これら３つの追加パッケージ４０４，４０６，４０８のうちの何れかに対する申込者は、先ず既存のパッケージ申込をキャンセルし、次に自動申込状態から、所望の追加パッケージを加えねばならない。例えば、ダイレクト申込スキームでは、基本パッケージ４０４を申し込むモバイル装置１００（図１）のユーザは、拡張基本パッケージ４０８に対する申し込みのために、基本パッケージ４０４申込をキャンセルしなければならないだろう。しかしながら、そのようなキャンセルは、新たな申込選択により自動化されよう。
【００１９】
図５Ａおよび図５Ｂは、増加式パッケージ申込スキームの一例を示す。増加式申し込み予約スキーム５００を実現するために、パッケージはチェーンを形成する。このスキーム５００を使用して、基本パッケージ５０４への申込が利用可能になる前に、モバイル装置１００（図１）は、自動申込パッケージ５０２に対する申込を必要とする。拡張基本パッケージ５０６への申込が可能になる前に、基本パッケージ５０４への申込が必要だろう。また、プレミアムパッケージ５０８への申込が可能になる前に、拡張基本パッケージ５０６が必要である。図５Ｂに示すように、この増加式スキーム５００では、パッケージはそれぞれチェーンにおける直前のパッケージを参照し、もって、パッケージは、申込を取り消す必要なく、一度に１ステップアップグレードすることができる。しかしながら、この増加式申込スキーム５００では、拡張基本パッケージ５０６は、自動申込パッケージ５０２を参照しないので、拡張基本パッケージ５０６は、自動申込状態から直接申し込まれない。同様に、プレミアムパッケージ５０８は、自動申込パッケージ５０２又は基本パッケージ５０４の何れか一方を参照しないので、プレミアムパッケージ５０８は、自動申込状態、又は基本申込状態のうちの一方から直接申し込むことができない。
【００２０】
一例では、自動申込パッケージ５０２は、メディア申込を開始するために必要なサービスを含んでいるので、自動申込パッケージ５０２は、コストをかけずに提供することができる。一方、他のパッケージ５０４〜５０８は、それぞれ、申込に関するコストが発生する。基本パッケージ５０４は、最低のサービスを提供するが、次のパッケージ５０６，５０８はそれぞれ、より多くのサービスが追加される。高レベルのパッケージ５０６，５０８はそれぞれ、低レベルのパッケージ５０４，５０６のサービスの全てを含んでいるかもしれないし、含んでいないかもしれない。
【００２１】
図６は、ダイレクトパッケージ申込と、増加式パッケージ申込との両方を含む階層的申込ツリーの一例を例示する。ツリーは、互いに参照するパッケージのグループである。パッケージツリー６００は、モバイル装置１００（図１）が任意のパッケージに直接申し込むこと、あるいは、高い柔軟性の利点を用いて、増加式パッケージ申込、又は増加式パッケージ申込とダイレクトパッケージ申込との両方の組み合わせをアップグレードすることを可能にするために、ダイレクトパッケージ申込及び増加式パッケージ申込の両方を組み込む。この例では、全てのパッケージが、低レベルパッケージの全てを参照し、このようにして、任意のパッケージが、現在申し込まれている他の任意のパッケージに追加される。例えば、ステップ６０２で開始され、自動申込パッケージへの申込が、モバイル装置に与えられる。自動申込パッケージは、申込ツリー６００のためのルートパッケージである。申込ツリーはそれぞれルートパッケージを持っている。ルートパッケージは、ツリー内の他のパッケージによって参照されるが、他の任意のパッケージを参照しないパッケージである。ステップ６０４では、自動申込ルートパッケージを参照する基本パッケージが申し込まれる。ステップ６０６では、基本パッケージの申込者は、基本パッケージを参照するので、第１の拡張基本パッケージを追加することができる。更に、ステップ６０８に示すように、拡張基本パッケージも自動申込ルートパッケージを参照するので、モバイル装置１００は、基本パッケージを最初に追加することなく、自動申込パッケージ状態から直接的に拡張基本パッケージに申し込むために使用することができる。基本パッケージの全てのサービス及びプログラミングに対するアクセスを含む拡張基本パッケージは、自動申込パッケージに直接的に追加することができる。
【００２２】
この例では、プレミアムパッケージは、現在の申込状態に依存して、幾つかの方法で追加されうる。なぜなら、プレミアムパッケージは、ツリー６００内の他の全てのパッケージを参照するからである。ステップ６１０では、基本パッケージの申込者は、遠隔デバイス１００によって、プレミアムパッケージに直接的に申込を追加する。プレミアムパッケージは、基本パッケージを参照するので、基本パッケージからまず申込を取り消す必要なしに申し込むことが可能である。ステップ６１２では、拡張基本パッケージへの申込者は、プレミアムパッケージに申込を直接加える。プレミアムパッケージもまた拡張基本パッケージを参照するので、拡張基本パッケージからまず申込を取り消す必要なく申し込むことが可能である。ステップ６１４では、自動申込パッケージへの申込者は、プレミアムパッケージに申込を直接的に追加する。プレミアムパッケージもまた自動申込パッケージを参照するので、自動申込状態から直接申し込むことが可能である。
【００２３】
図７は、階層申込スキームの一例である。図７における申込スキームは、３つのアラカルトパッケージ７０２，７０４，７０６と、自動申込パッケージ７０８と、３つの階層申込ツリー７１０，７１２，７１４とを含んでいる。階層申込ツリーはそれぞれ、図６に関して上述したような直接式及び増加式の両方で申し込むことが可能な３レベルのプログラムパッケージを含んでいる。この例では、各ツリー７１０，７１２，７１４は、他とは独立している。すなわち、１つのツリーのパッケージは、別のツリーからのパッケージを参照しない。階層申込ツリーの各々では、パッケージは、それぞれのルートパッケージのパッケージＩＤによって各々のツリーを識別する。したがって、サービスプロバイダは、各ツリーが、具体的な地理的位置に対する申込オプションを表すいくつかの申込提案を提示する。例えば、階層申込ツリー７１０は、アメリカ合衆国西部における課金アドレスでモバイル装置に指定されているが、ツリー７１２及びツリー７１４は、アメリカ合衆国の他の地域に指定されている。アメリカ合衆国西部の申込ツリーへのアクセスが許可されたユーザは、ルートパッケージ「ツリー１，Ａ」へ申し込むことが許可される。一旦このルートに申し込むと、ユーザは、そのツリー内の任意のプログラムパッケージを申し込むことができる。異なるユーザへ異なる申込スキームを提供するか、及びこれらスキームを異なるユーザにどうやって割り当てるかを決定するために、その他の基準がサービスプロバイダによって使用されうる。
【００２４】
図７に示すように、アラカルトパッケージ７０２，７０４，７０６は、その他のパッケージを参照せず、アラカルトパッケージを参照するパッケージも存在しない。これらアラカルトパッケージは、あらゆる申込状態における人に対して、申し込みのために利用可能である。
【００２５】
パッケージが隠され、ユーザの視野から除かれる申込スキームを実施することが可能である。これは、以前に利用可能なパッケージ、あるいはサービスプロバイダが、ある申込状態におけるユーザに対してのみ見えるべきであると判定したパッケージを隠すのに役立つ。そのような１つの例は、相互に排他的なパッケージを使用する。相互に排他的なパッケージは、申し込まれた場合に、１つ又は複数のパッケージが隠されるようにする、すなわちユーザの申込オプションから除かれるようにするパッケージである。１つの例では、相互に排他的なパッケージは、隠すパッケージのリストを含んでいる。したがって、例えば、ユーザが拡張基本パッケージを申し込んだ時、サービスプロバイダが、ユーザの申込オプションから、基本パッケージを隠すことを望む場合には、拡張基本パッケージは、自己の「隠蔽リスト」内の基本パッケージを参照するであろう。あるいは、各パッケージはそれぞれ、相互排他的なセットのためのＩＤを含むことができる。したがって、パッケージへの申込によって、相互排他的な同じセットＩＤを持つ他の全てのパッケージが隠されるだろう。相互排他的なセットのパッケージが、ルートパッケージである場合、このセットからの選択によって、相互排他的なセットにおける残りのルートパッケージが隠されるようになる。他のルートパッケージが一旦隠されると、その結果、この隠されたルートパッケージに関連する申込ツリーもまた、ユーザ申込に使用されなくなる。
【００２６】
図８は、モバイル装置においてメディアサービスへの申込を変更する方法の一例を示すフロー図である。メディアサービス８００への申込を変更する方法は、申込情報を決定するステップ８０２で始まる。プログラムパッケージおよび個々のサービスのセットは、関連するサービスデータのコストとともに、申込情報のための基準を形成する。この申込情報は、更に自動申込パッケージ、バナーおよびその他のマーケティング情報、ツリー、層、及びアプリケーションソフトウェアをも含む。サービスプロバイダは、図２のサーバ要素２０４のような決定手段を使用して、この申込情報を決定する。申込情報の決定は、例えば、申込者課金アドレスの地理的な場所、サービス開始時間におけるモバイル装置の地理的な場所、モバイル装置の市外局番、申込者エリアの平均収入、モバイル装置の申込状態、エリア内で作動するモバイル装置の数等のような要因に基づくことができる。この申込情報は、図６及び図７に関連して上述した階層申込ツリー、アラカルトパッケージ、自動申込パッケージ、及び関連するサービスコストを含むことができる。更に、申し込まれたプログラムパッケージは、遠隔デバイスにおいて、表示させないことができる。自動申込パッケージのようなプログラムパッケージは、解約不可とすることができる。申込情報は、定期的に改訂される。そして、モバイル装置は、改訂されたアプリケーションプログラム、又は最新のプログラムパッケージ、サービス、及びサービスコスト説明を受け取るだろう。
【００２７】
ステップ８０４では、この申込情報は、図２のＣＤＭＡネットワーク２１２のような無線スキーム手段に従って変調され、モバイル装置へ送信される。例えばＣＤＭＡ、ＣＤＭＡ２０００、ＧＳＭ、ＷＣＤＭＡ、ＧＳＭ／ＧＰＲＳ／ＷＣＤＭＡ、ＴＤＭＡ、ＴＤＭＡ／ＥＤＧＥおよびＴＥＴＲＡのようなその他の無線スキームも使用されうる。サービスプロバイダは、図２のサーバ要素２０４のような変調及び送信手段を使用して、ステップ８０４を実行する。この申込情報は、ステップ８０６で、図１のモバイル装置１００のようなモバイル装置において受信され復調される。この申込情報は、図１のアンテナモジュール１１０のようなアンテナ手段によって受信される。この申込情報は、図１のマイクロプロセッサモジュール１０８のようなマイクロプロセッサ手段と、図１のメモリモジュール１０２のようなメモリ手段とを用いて、ＣＤＭＡネットワークのような無線スキームに従って復調される。この方法８００は、例えば、ＰＤＡ、セル電話、あるいはパーソナルメディアプレーヤのようなモバイル装置１００によって実現することができる。
【００２８】
ステップ８０８では、この申込情報は、図１のディスプレイモジュール１０４のような表示手段によって、遠隔デバイスにおいて表示される。更に、現在の申込状態が要求され、関連するサービスコストとともに表示される。ステップ８１０では、モバイル装置は、例えば、プログラムパッケージ及び／又はサービスのような表示された申込情報の選択を許可にする。この選択は、図１の入力モジュール１０６のような入力手段によって行われる。この選択の結果、ステップ８１２において、申込が変更される。この変更が遠隔デバイスにおいて行われた後、ステップ８１４では、新たな申込状態に関連するプログラムパッケージ及びサービスへのアクセスが、顧客サービス代行者無しで許可される。選択による申込状態の変更に関するバリエーションがある。例えば、ステップ８１２では、選択後、申込が変更される前に、入力モジュール１０６において、後の確認ステップが必要になりえる。あるいは、変更がなされる前に、時間切れになるであろう。
【００２９】
この変更処理が一旦完了すると、変更された申込状態に関する情報が、例えば図１のモバイル装置１００のようなモバイル装置によって送信される。通知の形態をとりうる変更済みの申込状態情報は、例えばＣＤＭＡネットワークのような無線スキーム手段によって変調され、例えば図１のアンテナモジュール１１０のようなアンテナ手段によって送信される。ステップ８１８では、変更済みの申込状態情報、あるいはその通知は、図２のサーバ要素２０４のような受信手段において受信される。
【００３０】
１つの例では、モバイル装置１００（図１）にインストールされたソフトウェアアプリケーションによって、メディアプログラムガイドが開始される。これは、モバイル装置１００をメディア配信システム２００（図２）に登録する起動処理を開始する。この登録は、利用可能なメディアサービスをモバイル装置１００が申し込むこと、及び／又は取り消すことを許可する処理を開始する。申込情報は、原機製造会社（ＯＥＭ）によって、ソフトウェアアプリケーションの形態で遠隔装置に転送することができる。あるいは、モバイル装置１００は後に、アプリケーションダウンロードサーバ（ＡＤＳ）を用いて、ソフトウェアアプリケーション及び／又は申込情報の無線転送を受け取ることができる。
【００３１】
コンテンツプロバイダ及び／又はサービスプロバイダによって判定されるように、サービスプロバイダに利用可能な全てのメディアサービスが、申込者に利用可能とは限らない。モバイル装置は、他のモバイル装置が申し込むことができるパッケージ内でグループ化された幾つかのサービス、あるいは幾つかのパッケージへのアクセスを拒否されるかもしれない。例えば、いくつかのサービスは、地方のスポーツ試合停電のような具体的な理由で、遠隔装置に一時的に利用不可になるかもしれない。申込者に利用可能なパッケージ及び関連するコストのセットは、幾つかのパッケージがディスプレイから隠されうるが、モバイル装置では表示される。この申込情報は、後の無線転送によってルーチン的に改訂することができる。
【００３２】
１つの例では、このモバイル装置は、メディアサービスを首尾よく起動し、最新のメディアプログラムガイド、マーケットプレイス定義、Barker Presentations（広告）、および他の関連するシステム情報が、自動申込パッケージとして転送される。この情報の転送には時間を要するので、モバイル装置は、上記情報が利用可能になる時に関する表示を表すことができる。任意の選択されたアドオンパッケージ、及びコストパッケージに対する申込が許可される前に、例えば自動申込パッケージのようなルートパッケージへの申込を行う必要があるかもしれない。
【００３３】
明確さのために、サービス、パッケージ、層、およびツリーが一例として説明される。しかしながら、メディアセグメント間の相互関係と、メディアセグメントとを任意に組み合わせることが可能であり、本実施例のこの局面は、説明されたものに限定されるべきではないことが認識されるべきである。
【００３４】
説明した例の局面は、限定される訳ではないが、以下を含む。
【００３５】
申込を変更するための無線通信方法であって、この方法は、申込情報を受信することと、無線スキームに従って申込情報を復調することと、復調された申込情報を用いて、申込用のプログラムパッケージのセットを表示することと、前記セットから、１つ又は複数の表示されたパッケージの選択を許可することであって、この選択の結果、申込が変更されることとを含む。
【００３６】
申込を変更することが可能な電子機器であって、この機器は、申込情報を受信し、無線スキームに従って申込情報を復調し、復調された申込情報を用いて、申込用のプログラムパッケージのセットを表示し、前記セットから、１つ又は複数の表示されたパッケージの選択を許可し、この選択の結果、申込が変更されるように構成されている。
【００３７】
無線通信のための装置であって、この装置は、申込情報を受信する手段と、無線スキームに従って申込情報を復調する手段と、復調された申込情報を用いて、申込用のプログラムパッケージのセットを表示する手段と、前記セットから、１つ又は複数の表示されたパッケージの選択を許可する手段であって、この選択の結果、申込が変更される手段とを備える。
【００３８】
コンピュータに、以下の方法を実行させる手段を組み込んだコンピュータ読取可能媒体であって、この方法は、申込情報を受信することと、無線スキームに従って申込情報を復調することと、復調された申込情報を用いて、プログラムパッケージのセットを表示することと、復調された申込情報を用いて、プログラムパッケージのサービスのコストを表示することと、前記セットから、１つ又は複数のパッケージの選択を許可することであって、 この選択の結果、申込が変更されることと、変更された申込に基づいて、新たなサービスのコストを表示することと、１つ又は複数のパッケージの選択の結果、パッケージの表示をしないこととを含む。
【００３９】
申込を変更する無線通信方法であって、申込情報を決定することと、無線スキームに従って申込情報を変調することと、変調された申込情報をモバイル装置に送信することであって、この申込情報は、申込状態を変更するためにモバイル装置において使用されることと、変更済みの申込状態情報をモバイル装置から受信することとを含む。
【００４０】
申込変更をサポートする電子機器であって、申込情報を決定し、無線スキームに従って申込情報を変調し、変調された申込情報をモバイル装置に送信することであって、この申込情報は、申込状態を変更するためにモバイル装置において使用され、変更済みの申込状態情報をモバイル装置から受信するように構成されている。
【００４１】
無線通信装置であって、申込情報を決定する手段と、無線スキームに従って申込情報を変調する手段と、変調された申込情報をモバイル装置に送信する手段であって、この申込情報は、申込状態を変更するためにモバイル装置において使用される手段と、変更済みの申込状態情報をモバイル装置から受信する手段とを含む。
【００４２】
コンピュータに、以下の方法を実行させる手段を組み込んだコンピュータ読取可能媒体であって、この方法は、申込情報を決定することと、申込情報に関連するサービスのコストを決定することと、無線スキームに従って申込情報を変調することと、変調された申込情報をモバイル装置へ送信することであって、この申込情報は、申込状態を変更するためにモバイル装置において使用されることと、変更済みの申込状態情報をモバイル装置から受信することと、新たな申込情報を変調することと、新たな申込情報を送信することと を含む。
【００４３】
ここで開示された実施例に関連して記述された種々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００４４】
ここで開示された実施例に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。好適な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、ユーザ端末内に存在することもできる。あるいはこのプロセッサと記憶媒体は、ユーザ端末内のディスクリート部品として存在しうる。
【００４５】
開示された実施例における上述の記載は、当該技術分野におけるいかなる人であっても、本発明の活用または利用を可能とするように提供される。これらの実施例への様々な変形例もまた、当該技術分野における熟練者に対しては明らかであって、ここで定義された一般的な原理は、本発明の主旨または範囲を逸脱せずに、例えばインスタントメッセージングサービス、又は任意の一般的な無線データ通信アプリケーションのような他の実施例にも適用されうる。このように、本発明は、ここで示された実施例に制限されるものではなく、ここで記載された原理と新規の特徴に一致した最も広い範囲に相当するものを意図している。用語「典型的」は、ここでは、例、インスタンス、又は例示となることを意味することに限定的に用いられる。ここで「典型的」と記載された何れの実施例も、必ずしも他の実施例に対して好適であるとか、有利であるとか解釈される必要は無い。
【図面の簡単な説明】
【００４６】
【図１】図１は、無線ネットワークのためのモバイル装置の一例を示すブロック図である。
【図２】図２は、改良された申込方法を提供するために使用されるメディア配信システムの一例を示すブロック図である。
【図３】図３は、プログラムパッケージのセットの例を示す図である。
【図４Ａ】図４Ａは、ダイレクトパッケージ申込の一例を示す図である。
【図４Ｂ】図４Ｂは、ダイレクトパッケージ申込の一例を示す図である。
【図５Ａ】図５Ａは、増加する加入スキームの例を示す図である。
【図５Ｂ】図５Ｂは、増加する加入スキームの例を示す図である。
【図６】図６は、ダイレクト申込と増加式の申込との両方を含む階層的申込ツリーの一例を示す図である。
【図７】図７は、階層的申込スキームの一例を示す図である。
【図８】図８は、モバイル装置においてメディアサービスへの申込を変更する方法の一例を示すフローである。
【図１】
2007536820.tif 000003
【図２】
2007536820.tif 000004
【図３】
2007536820.tif 000005
【図４Ａ】
2007536820.tif 000006
【図４Ｂ】
2007536820.tif 000007
【図５Ａ】
2007536820.tif 000008
【図５Ｂ】
2007536820.tif 000009
【図６】
2007536820.tif 000010
【図７】
2007536820.tif 000011
【図８】
2007536820.tif 000012
【国際調査報告】
2007536820.tif 000013
2007536820.tif 000014
2007536820.tif 000015
2007536820.tif 000016